(57)【要約】【課題】地上波デジタル放送のＣプロファイルの放送データを受信する基本受信機のデータ放送コンテンツ表示装置のキーが現在どの用途に用いられているかをユーザが把握した上でキーの押し下げ操作ができるよう、選択可能なキーの入力用途をユーザに提示可能なデータ放送コンテンツ表示装置を提供することを可能にする。【課題を解決するための手段】  地上波デジタル放送のＣプロファイルの放送データを受信する受信部と、受信部で受信した放送データを提示するための提示部と、キー入力部と、放送データが提示部にて提示されているか判断する判断部と、判断部での判断結果が放送データが提示されているとの判断結果である場合に、キー入力部により選択可能なキーの入力用途がデータ放送コンテンツの動作用であるか否かを示す用途情報を含む情報を出力するための用途情報出力部とを有するデータ放送コンテンツ表示装置及び表示方法を提供する。【選択図】図１
2007134834.tif 000002
【特許請求の範囲】
【請求項１】
地上波デジタル放送のＣプロファイルの放送データを受信する受信部と、
受信部で受信した放送データを提示するための提示部と、
キー入力部と、
放送データが提示部にて提示されているか判断する判断部と、
判断部での判断結果が放送データが提示されているとの判断結果である場合に、キー入力部により選択可能なキーの入力用途がデータ放送コンテンツの動作用であるか否かを示す用途情報を含む情報を出力するための用途情報出力部と、
を有するデータ放送コンテンツ表示装置。
【請求項２】
提示部にて提示された放送データを表示するためのディスプレイをさらに有し、
用途情報出力部は、出力される用途情報を、前記ディスプレイに文字、又は絵文字にて表示させるためのディスプレイ表示手段を有する請求項１に記載のデータ放送コンテンツ表示装置。
【請求項３】
キー入力部は、
キーを少なくとも２色の照明色で選択的に照明可能な照明手段を有し、
用途情報出力部は、用途情報として、照明手段の照明色を選択するための照明色選択情報を照明手段に出力する請求項１又は２に記載のデータ放送コンテンツ表示装置。
【請求項４】
用途情報出力部は、
出力される用途情報として、用途情報を示すキーの種類を示す情報であるキー識別情報を含むキー識別情報付用途情報を出力するキー識別情報付用途情報出力手段を有する請求項１から３のいずれか一に記載のデータ放送コンテンツ表示装置。
【請求項５】
用途情報に基づいてどのキーが入力手段対象となっているかを示す入力手段対象明示部を有し、
入力手段対象明示部は、０‐９の数字キー識別情報に基づいて０‐９の数字キーが入力手段対象となっていることを示す請求項４に記載の放送コンテンツ表示装置。
【請求項６】
用途情報に基づいてどのキーが入力手段対象となっているかを示す入力手段対象明示部を有し、
入力手段対象明示部は、♯（シャープ）キー、＊（アスタリスク）キー識別情報に基づいて♯（シャープ）キー、＊（アスタリスク）キーが入力手段対象となっていることを示す請求項４に記載のデータ放送コンテンツ表示装置。
【請求項７】
受信部にて受信するデータ放送のデータから入力キーの用途割り当てを示す情報である用途割り当て情報を取得するキー用途割当情報取得部と、
キー用途割当情報から用途情報を取得する用途情報取得部と、
を有する請求項１から４のいずれか一に記載のデータ放送コンテンツ表示装置。
【請求項８】
用途情報に基づいてどのキーが入力手段対象となっているかを示す入力手段対象明示部を有し、
入力手段対象明示部は、キー用途割当情報のキーを識別する情報に「ｎｕｍｅｒｉｃ‐ｔｕｎｉｎｇ」が含まれる場合には、０‐９の数字キーが入力手段対象となっていることを示す請求項７に記載のデータ放送コンテンツ表示装置。
【請求項９】
用途情報に基づいてどのキーが入力手段対象となっているかを示す入力手段対象明示部を有し、
入力手段対象明示部は、キー用途割当情報のキーを識別する情報に「ｓｐｅｃｉａｌ‐１」が含まれる場合には、♯（シャープ）キー、＊（アスタリスク）キーが入力手段対象となっていることを示す請求項７に記載のデータ放送コンテンツ表示装置。
【請求項１０】
地上波デジタル放送のＣプロファイルの放送データを受信する受信ステップと、
前記受信ステップにて受信した放送データが提示されているか判断する第一の判断ステップと、
前記第一の判断ステップにおける判断結果が放送データが提示されているとの判断結果である場合に、キー入力にて選択可能なキーの入力用途がデータ放送コンテンツの動作用であるか否かを示す用途情報を出力する用途情報の出力ステップと、
前記用途情報の出力ステップにおいて出力された用途情報がキーの入力用途としてデータ放送コンテンツの動作用とその他の用途のいずれを示しているかを判断する第二の判断ステップと、
前記第二の判断ステップにおける判断結果が用途情報がキーの入力用途としてデータ放送コンテンツの動作用との用途を示しているとの判断結果である場合に、所定のキー入力をデータ放送コンテンツの動作用として受け付けるステップと、
前記第二の判断ステップにおける判断結果が用途情報がキーの入力用途としてその他の用途を示しているとの判断結果である場合に、所定のキー入力をその他用として受け付けるステップと、
を有するデータ放送コンテンツ表示方法。
【発明の詳細な説明】
【技術分野】
【０００１】
本発明は、地上波デジタルテレビジョン放送のＣプロファイル基本受信機が受信する放送データにかかるデータ放送コンテンツの表示装置及び表示方法に関する。
【背景技術】
【０００２】
地上波デジタルテレビジョン放送（地上デジタルテレビジョン放送）のＣプロファイル（携帯受信機を対象としたデータ放送サービスの基本運用プロファイル）基本受信機においては、映像コンテンツ、音声コンテンツのほか、データ放送コンテンツも受信可能である。このデータ放送コンテンツのデータはＢＭＬ（Ｂｒｏａｄｃａｓｔ  Ｍａｒｋｕｐ  Ｌａｎｇｕａｇｅ）文書、ＣＳＳ（Ｃａｓｃａｄｅ  Ｓｔｙｌｅ  Ｓｈｅｅｔ）文書、ＥＣＭＡ（Ｅｕｒｏｐｅａｎ  Ｃｏｍｐｕｔｅｒ  Ｍａｎｕｆａｃｔｕｒｅｒｓ  Ａｓｓｏｃｉａｔｉｏｎ）スクリプト文書、画像ファイルなどとして抽出され、これらの文書等によりデータ放送コンテンツの表示や動作の内容が決定される。具体的にはこれらの文書等には、表示内容に関する記述が含まれるのはもちろんのこと、ユーザのキー入力や、時間の経過、放送の内容の変更などのイベントの発生に対し、何らかのアクションを起こすことを可能にするスクリプトの記述も含まれる。
この場合、携帯受信機におけるデータ放送コンテンツの表示や動作は端末のキーの操作により行われ、また、押し下げ操作を行った際に例えばＢＭＬ文書の記述に従い処理するキーとしてどのキーを選択するかは、提示中のＢＭＬ文書にｂｏｄｙ要素として記述されている「ｕｓｅｄ‐ｋｅｙ‐ｌｉｓｔ特性値」により指定されるのが一般的である。ｕｓｅｄ‐ｋｅｙ‐ｌｉｓｔ特性値には、例えば、「ｂａｓｉｃ」、「ｎｕｍｅｒｉｃ‐ｔｕｎｉｎｇ」、「ｓｐｅｃｉａｌ‐１」、「ｓｐｅｃｉａｌ‐２」などがある。
【０００３】
（表１）はｕｓｅｄ‐ｋｅｙ‐ｌｉｓｔ特性値と、その対象となるＢＭＬ文書の記述に従い処理するキーの種類の関係を示す。
【表１】
2007134834.tif 000003
同表に示すように、例えば、このｕｓｅｄ‐ｋｅｙ‐ｌｉｓｔ特性値を「ｂａｓｉｃ」と指定した場合には、決定キー及び戻るキーのみが文書の記述に従い処理する対象となり、数字キー（０‐９）は専ら他の動作（例えば選局）に使用される。また、このｕｓｅｄ‐ｋｅｙ‐ｌｉｓｔ特性値を「ｎｕｍｅｒｉｃ‐ｔｕｎｉｎｇ」を含めて指定した場合には、数字キー（０‐９）も文書の記述に従い処理する対象となる（例えば、特許文献１参照）。
【特許文献１】特開２００３‐１３１７８３号公報
【発明の開示】
【発明が解決しようとする課題】
【０００４】
しかし、ｕｓｅｄ‐ｋｅｙ‐ｌｉｓｔ特性値を「ｎｕｍｅｒｉｃ‐ｔｕｎｉｎｇ」を含めて指定した場合、放送データが提示されているときに数字キー（０‐９）の押し下げ操作を行うと、当該操作は文書の記述に従い処理する対象となっているため、放送局の選局動作には使用できなくなってしまう。このことは、データ放送の運用規定にも、０‐９の数字キー並びに＃（シャープ）キー及び＊（アスタリスク）キーの使用は最小限にすることを推奨する旨の記述があり、これらのキーは選局動作として機能することが通常の状態と想定していることからもうかがえる。
つまり、ｕｓｅｄ‐ｋｅｙ‐ｌｉｓｔ特性値を「ｎｕｍｅｒｉｃ‐ｔｕｎｉｎｇ」を含めて指定した場合には、データ放送コンテンツの提示中に押し下げ操作をしたキーは選局動作やといった従来テレビ視聴時に押し下げ操作をした場合の動作にはならずに、放送データの文書の処理動作になる場合が生じるということである。
もっとも、かかる場合が生じても、例えば受信したＢＭＬ文書の表示の指定により注意を喚起するような表示デザインになっている場合には、ユーザがかかる表示から０‐９の数字キーが現在どの用途に用いられているかを把握できることも考えられ、このようなユーザにとっては、自身がキーを押し下げ操作する際に、いかなる動作が行われるかを知った上で、そのための動作のための押し下げ操作をすることができる可能性もある。しかし、０‐９の数字キーが現在どの用途に用いられているかを把握していないユーザにとっては、例えば選局を行うつもりでキーの押し下げ操作をしたところ、実はデータ放送コンテンツの提示中であったために、意に反して放送データの文書の処理動作が行われてしまったといった事態が発生し得る。
そこで、本発明が解決すべき課題は、０‐９の数字キーなどのキーが現在どの用途に用いられているかを把握していないユーザであってもキーが現在どの用途に使われているかを把握した上でキーの押し下げ操作ができるよう、選択可能なキーの入力用途をユーザに提示可能なデータ放送コンテンツ表示装置を提供することにある。
【課題を解決するための手段】
【０００５】
以上の課題を解決するため、本発明のうち請求項１に記載の発明は、地上波デジタル放送のＣプロファイルの放送データを受信する受信部と、受信部で受信した放送データを提示するための提示部と、キー入力部と、放送データが提示部にて提示されているか判断する判断部と、判断部での判断結果が放送データが提示されているとの判断結果である場合に、キー入力部により選択可能なキーの入力用途がデータ放送コンテンツの動作用であるか否かを示す用途情報を含む情報を出力するための用途情報出力部とを有するデータ放送コンテンツ表示装置を提供する。請求項２の発明は、提示部にて提示された放送データを表示するためのディスプレイをさらに有し、用途情報出力部は、出力される用途情報を、前記ディスプレイに文字、又は絵文字にて表示させるためのディスプレイ表示手段を有する請求項１に記載のデータ放送コンテンツ表示装置を提供する。請求項３の発明は、キー入力部は、キーを少なくとも２色の照明色で選択的に照明可能な照明手段を有し、用途情報出力部は、用途情報として、照明手段の照明色を選択するための照明色選択情報を照明手段に出力する請求項１又は２に記載のデータ放送コンテンツ表示装置を提供する。請求項４の発明は、用途情報出力部は、出力される用途情報として、用途情報を示すキーの種類を示す情報であるキー識別情報を含むキー識別情報付用途情報を出力するキー識別情報付用途情報出力手段を有する請求項１から３のいずれか一に記載のデータ放送コンテンツ表示装置を提供する。請求項５の発明は、用途情報に基づいてどのキーが入力手段対象となっているかを示す入力手段対象明示部を有し、入力手段対象明示部は、０‐９の数字キー識別情報に基づいて０‐９の数字キーが入力手段対象となっていることを示す請求項４に記載のデータ放送コンテンツ表示装置を提供する。請求項６の発明は、入力手段対象明示部は、♯（シャープ）キー、＊（アスタリスク）キー識別情報に基づいて♯（シャープ）キー、＊（アスタリスク）キーが入力手段対象となっていることを示す請求項４に記載のデータ放送コンテンツ表示装置を提供する。請求項７の発明は、受信部にて受信するデータ放送のデータから入力キーの用途割り当てを示す情報である用途割り当て情報を取得するキー用途割当情報取得部と、キー用途割当情報から用途情報を取得する用途情報取得部とを有する請求項１から４のいずれか一に記載のデータ放送コンテンツ表示装置を提供する。請求項８の発明は、用途情報に基づいてどのキーが入力手段対象となっているかを示す入力手段対象明示部を有し、入力手段対象明示部は、キー用途割当情報のキーを識別する情報に「ｎｕｍｅｒｉｃ‐ｔｕｎｉｎｇ」が含まれる場合には、０‐９の数字キーが入力手段対象となっていることを示す請求項７に記載のデータ放送コンテンツ表示装置を提供する。請求項９の発明は、用途情報に基づいてどのキーが入力手段対象となっているかを示す入力手段対象明示部を有し、入力手段対象明示部は、キー用途割当情報のキーを識別する情報に「ｓｐｅｃｉａｌ‐１」が含まれる場合には、♯（シャープ）キー、＊（アスタリスク）キーが入力手段対象となっていることを示す請求項７に記載のデータ放送コンテンツ表示装置を提供する。請求項１０の発明は、地上波デジタル放送のＣプロファイルの放送データを受信する受信ステップと、前記受信ステップにて受信した放送データが提示されているか判断する第一の判断ステップと、前記第一の判断ステップにおける判断結果が放送データが提示されているとの判断結果である場合に、キー入力にて選択可能なキーの入力用途がデータ放送コンテンツの動作用であるか否かを示す用途情報を出力する用途情報の出力ステップと、前記用途情報の出力ステップにおいて出力された用途情報がキーの入力用途としてデータ放送コンテンツの動作用とその他の用途のいずれを示しているかを判断する第二の判断ステップと、前記第二の判断ステップにおける判断結果が用途情報がキーの入力用途としてデータ放送コンテンツの動作用との用途を示しているとの判断結果である場合に、所定のキー入力をデータ放送コンテンツの動作用として受け付けるステップと、前記第二の判断ステップにおける判断結果が用途情報がキーの入力用途としてその他の用途を示しているとの判断結果である場合に、所定のキー入力をその他用として受け付けるステップとを有するデータ放送コンテンツ表示方法を提供する。
【発明の効果】
【０００６】
本発明により、キーが現在どの用途に用いられているかを把握していないユーザであってもキーが現在どの用途に使われているかを把握した上でキーの押し下げ操作ができるよう、選択可能なキーの入力用途をユーザに提示可能なデータ放送コンテンツ表示装置を提供することができる。
【発明を実施するための最良の形態】
【０００７】
以下に、本発明の実施例を説明する。実施例と請求項の相互の関係は以下のとおりである。実施例１は主に請求項１、請求項１０などに関し、実施例２は主に請求項２などに関し、実施例３は主に請求項３などに関し、実施例４は主に請求項４などに関し、実施例５は主に請求項５などに関し、実施例６は主に請求項６などに関し、実施例７は主に請求項７などに関し、実施例８は主に請求項８などに関し、実施例９は主に請求項９などに関する。なお、本発明はこれら実施例に何ら限定されるものではなく、その要旨を逸脱しない範囲において、種々なる態様で実施しうる。
【実施例１】
【０００８】
<概要>
本実施例のデータ放送コンテンツ表示装置は、地上波デジタル放送のＣプロファイルのデータ放送コンテンツにかかる放送データを受信し、当該コンテンツを表示する装置であって、放送データが提示されている場合に、キー入力部により選択可能なキーの入力用途がデータ放送コンテンツの動作用であるか否かを示す情報を出力する機能を有するものである（なお、「地上波デジタルテレビジョン放送」は、「地上デジタルテレビジョン放送」と呼ばれる場合もあるが、本発明では、「地上波デジタルテレビジョン」の語を用いる）。
【０００９】
<構成>
図１は、本実施例のデータ放送コンテンツ表示装置の機能ブロックの一例を示す図である。本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される。
【００１０】
同図において、本実施例の「データ放送コンテンツ表示装置」０１００は、「受信部」０１０１と、「提示部」０１０２と、「キー入力部」０１０５と、「判断部」０１０３と、「用途情報出力部」０１０４とからなる。
「受信部」は、地上波デジタル放送のＣプロファイルの放送データを受信するように構成されている。「Ｃプロファイル」は、データ放送サービスの受信形態ごとの運用プロファイルの一つであって、携帯受信機を対象としたプロファイルをいう。従って、Ｃプロファイルのデータ放送コンテンツにかかる放送データを受信し、当該コンテンツを表示する装置である本発明のデータ放送コンテンツ表示装置は、携帯受信機を想定したものである。携帯受信機の具体例としては、かかる放送受信機能を備えた携帯電話機のほか、ＰＤＡ（Ｐｅｒｓｏｎａｌ  Ｄｉｇｉｔａｌ  Ａｓｓｉｓｔａｎｔ）端末、ポータブルテレビ受信機などの専用端末などが考えられる。
「データ放送コンテンツ」は、データ放送サービスの対象であるマルチメディア・データ（具体的には、スポーツ番組などの画面情報連動情報、ＥＰＧ情報などの番組情報やニュース、天気予報などの独立した情報）をいう。なお、このほかに字幕や文字スーパーを含んでもよい。
【００１１】
ここで、地上波デジタル放送のＣプロファイルの放送データの構造について説明する。かかるＣプロファイル向けの地上波デジタル放送は、テレビ放送の１チャンネル分の周波数帯域幅である６ＭＨｚを１４等分したうちの１３のセグメントの一つを用いて行われる（いわゆる１セグ放送）。従って、その帯域幅は約４２８ｋＨｚとなる。
Ｃプロファイル向けの地上波デジタル放送において、放送データは、伝送に適したトランスポート・ストリーム（ＴＳ）を編成するＴＳパケット列の形式で伝送される。この中には、映像ストリーム、音声ストリームのほか、データ放送用のＢＭＬ文書、ＣＳＳ文書、ＥＣＭＡスクリプト、画像ファイルなどの文書等や字幕データなどが含まれている。
【００１２】
そこで次に、ＢＭＬ文書を例に、データ放送用のデータの構造を説明する。
図２は、上述のパケット列を構成する一つのＴＳパケットの構造を示す概念図である。同図に示すように、ＴＳパケットは１８８バイトの固定長のパケットであり、４バイトの「ヘッダ」０２０１と、０‐１８４バイト（可変長）の「アダプテーション・フィールド」０２０２と、０‐１８４バイト（可変長）の「ペイロード」０２０３とで構成される。データ放送用の放送データであるＢＭＬ文書は、このうちの「ペイロード」に格納される。なお、Ｃプロファイルのデータ放送用のＢＭＬ文書は、大別してＣプロファイル・放送コンテンツとＣプロファイル・リンク・コンテンツとに区別される。前者はデータ放送受信状態において放送波から取得する放送コンテンツであり、後者はリンク状態において通信サーバ上に配置された放送から取得するコンテンツである。前者から後者へは、例えばリンク先のサーバへ遷移するためのボタンを押し下げることなどによって遷移可能である。本発明においてＣプロファイルのデータ放送用のＢＭＬ文書はＣプロファイル・放送コンテンツとＣプロファイル・リンク・コンテンツの双方を含む。
【００１３】
「提示部」は、受信部で受信した放送データを提示するためのものである。「提示」とは、受信した映像、音声、放送データの中から放送データを抽出し、キー入力可能な状態におくことをいう。具体的には、放送データは上述のようにＢＭＬ文書、ＣＳＳ文書、ＥＣＭＡスクリプト、画像ファイルなどの形式でＴＳパケット中に格納されているので、そこから分離する形で抽出されることになる。さらに、抽出された文書等は解析されてデータ中から表示・動作用情報が抽出される。ここで「表示・動作用情報」とは、表示や動作に必要となる情報であり、例えば、データ放送コンテンツを表示する画面領域を指定したり、データ放送コンテンツの動作処理を行うためのキーを指定したりといった命令情報が含まれる。また、データ放送コンテンツ表示装置はデータ放送コンテンツを表示するためのディスプレイ等を有し、「提示部」は、データ放送コンテンツをディスプレイ等に表示するための手段を有していてもよい。この場合には、「提示」には、データ放送コンテンツを表示可能に描画すること及び描画されたデータ放送コンテンツをディスプレイ等に表示することが含まれる。
図３は、ＴＳパケット（のペイロード）から抽出されたＢＭＬ文書に記述されたＤＯＭ（ｄｏｃｕｍｅｎｔ  ｏｂｊｅｃｔ  ｍｏｄｅｌ）の一例を示す。ここでは、当該ＢＭＬ文書にｂｏｄｙ要素として記述される「ｕｓｅｄ‐ｋｅｙ‐ｌｉｓｔ特性値」として「ｎｕｍｅｒｉｃ‐ｔｕｎｉｎｇ」が指定されていることが述べられている。
そこで、当該文書の記述内容が解析され、表示・動作用情報が抽出される。上述の例に即して言えば、表示・動作用情報として、データ放送コンテンツの処理動作を行う対象キーに数字キー（０‐９）が指定されるとの命令情報を含む情報が抽出される。抽出された表示・動作用情報は、メモリ等に格納される。
【００１４】
図１に戻り、「判断部」は、放送データが提示部にて提示されているか判断するように構成されている。具体的には、前述のように放送データはＢＭＬ文書、ＣＳＳ文書、ＥＣＭＡスクリプト、画像ファイルなどの形式で抽出され、さらに当該文書等から表示・動作用情報が抽出されるが、かかる表示・動作用情報が抽出されてメモリ等に格納されている状態の場合に、判断部は「放送データが提示部にて提示されている」との判断を行う。
【００１５】
「用途情報出力部」は、判断部での判断結果が放送データが提示されているとの判断結果である場合に、用途情報を含む情報を出力するためのものである。「用途情報」とは、キー入力部により選択可能なキーの入力用途がデータ放送コンテンツの動作用であるか否かを示す情報をいう。例えば、上述の例において、データ放送コンテンツの動作用のｕｓｅｄ‐ｋｅｙ‐ｌｉｓｔ特性値として「ｂａｓｉｃ」と「ｎｕｍｅｒｉｃ‐ｔｕｎｉｎｇ」とが指定され、「ｓｐｅｃｉａｌ‐１」と「ｓｐｅｃｉａｌ‐２」は指定されていない場合、用途情報は、キー入力部により選択可能なキーのうち決定キー、戻るキー、数字キー（０‐９）はデータ放送コンテンツの動作用であり、＃（シャープ）キー、＊（アスタリスク）キー、ブックマークキーはデータ放送コンテンツの動作用ではないことを示すといったごときである。
データ放送コンテンツの動作用以外の用途としては、例えば選局用や端末の機能指定動作用（コントラスト調整、ボリューム調整など）が考えられる。なお、用途情報以外の情報としては、データ放送コンテンツの表示領域を指定するための情報や、データ放送コンテンツの表示を切り替える（例えばデータ放送コンテンツが天気予報に関するものである場合、現在表示されている全国の天気の頁から関東地方の天気の頁に切り替える）ための情報などが考えられる。
【００１６】
「キー入力部」は、ユーザのキー入力操作等に基づいてキー入力を行うように構成されている。キー入力がなされると、キー入力信号が出力される。そして出力された信号が文書処理動作のための信号であれば、当該文書処理動作が行われ、他の用途にかかる信号、例えば選局動作のための信号であれば、選局動作が行われる。
【００１７】
次に、本実施例の録画制御装置のそれぞれのハードウェア構成部の働きについて説明する。
図４は、本実施例のデータ放送コンテンツ表示装置のハードウェア構成の一例を示す概略図である。この図にあるように、受信部は「インターフェイス」０３０１を備える。提示部は「記憶装置」０３０２を備える。判断部は、「ＣＰＵ」０３０３と、「メインメモリ」０３０４とを備える。用途情報出力部も「ＣＰＵ」と、「メインメモリ」とを備える。キー入力部は「Ｉ／Ｏ」０３０５を備える。これらは「システムバス」０３０６などのデータ通信経路によって相互に接続され、情報の送受信や処理を行う。
記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。
受信部は、例えば放送出力装置から放送された地上波デジタル放送の放送データをアンテナ、チューナなどのインターフェイスを通じて受信する。受信した放送データは、提示部が一旦記憶装置に格納する。次に、記憶装置に予め格納されている判断プログラムがメインメモリのワーク領域に展開され、当該プログラムが、当該放送データから抽出されたＢＭＬ文書から抽出された表示・動作用情報が計算機内で実行されている状態であるか否か、即ち、前述の処理要領に従って放送データから取り出されたＢＭＬ文書から抽出された表示・動作用情報がメモリ等に格納された状態か否かを判断する。
次に、用途情報出力部は、記憶装置に予め格納されている用途情報出力プログラムをメインメモリのワーク領域に展開し、当該プログラムが、上記判断の結果に従い、キー入力により選択可能なキーの用途に関する情報を生成して出力する。この場合、用途情報出力部は、例えば、文書処理の対象となるキーの特性値と、その対象となるキーとの関係を示すテーブル（例えば（表１）に示したものと同様のもの）を記憶装置などに予め保持しており、そのテーブルを利用して指定されたｕｓｅｄ‐ｋｅｙ‐ｌｉｓｔ特性値に対応するキーの種類を判断する。具体的には、例えば抽出されたＢＭＬ文書に「ｕｓｅｄ‐ｋｅｙ‐ｌｉｓｔ特性値」として「ｎｕｍｅｒｉｃ‐ｔｕｎｉｎｇ」が指定されている旨の記述がある場合、用途情報出力部は、上述のテーブルを利用して、文書処理の対象として入力可能な状態になっているキーが数字キー（０‐９）であることを判断する。そして、かかる判断結果が得られた場合、用途情報出力プログラムは、０‐９の数字キーの用途が文書処理動作であることを示す用途情報を生成して出力する。この出力は、例えば、データ放送コンテンツ表示装置のディスプレイに文字、絵文字等で表示することにより、ユーザが認識可能な形で提示されてもよい。この場合には、ユーザは当該表示を見て、現在０‐９の数字キーが文書処理動作用に機能していることを認識でき、かかる用途を知った上でキー操作を行うことができる。そして、このようなキー操作などに基づいて、キー入力部がＩ／Ｏを通じて所定のキー入力（本例の場合は文書処理動作としてのキー入力）を行う。
【００１８】
次に、本実施例のデータ放送コンテンツ表示装置を用いた具体的実施例について説明する。
図５は、かかる具体的実施例にかかるデータ放送コンテンツ表示装置の機能ブロックの一例を示す図である。本例の「データ放送コンテンツ表示装置」０５００は同図に示す各部を有する。以下、各部の構成について説明する。なお、「受信部」０５１０の構成はすでに述べたところと同じであるので、説明を省略する。
【００１９】
「提示部」０５２０は、「データ放送コンテンツ抽出手段」０５２１と、「文書解析手段」０５２２と、「表示要素取得手段」０５２３と、「表示要素描画手段」０５２４と、「データ放送コンテンツ表示手段」０５２５とを備える。
「データ放送コンテンツ抽出手段」は受信部が受信した放送データからデータ放送コンテンツであるＢＭＬ文書、ＣＳＳ文書、ＥＣＭＡスクリプト、画像ファイルなどを分離する形で抽出し、メモリ等に格納するように構成されている。
「文書解析手段」は、抽出されたデータ放送コンテンツの文書解析を行うように構成されている。具体的には、文書中から表示や動作に必要となる情報（表示・動作用情報）を抽出して、メモリ等に格納する。
「表示要素取得手段」は、上記文書解析により抽出された表示・動作用情報を構成する各表示要素の単位で取得するように構成されている。ここで「表示要素」とは、文字、絵文字、動画像等、表示することのできる個々のデータ要素をいう。
「表示要素描画手段」は、表示要素取得手段が取得した各表示要素に基づいてコンテンツの表示用バッファにデータ放送コンテンツの描画を行うように構成されている。
さらに、「データ放送コンテンツ表示手段」がその描画をディスプレイ等に表示するように構成されている。
【００２０】
「判断部」０５３０は、既に述べたように放送データが提示部で提示されているか否かを判断するように構成されている。この場合、提示部における処理のどのレベルでの情報に基づいて判断を行うかは、様々な場合がある。例えば、データ放送コンテンツ抽出手段が放送データから分離したＢＭＬ文書がメモリ等に格納されている場合に直ちに放送データが提示されているとの判断を行う場合や、文書解析手段がＢＭＬ文書から抽出した表示・動作用情報がメモリ等に格納されている場合にかかる判断を行う場合、あるいは表示要素取得手段が取得した表示要素に基づいてかかる判断を行う場合、さらには表示要素描画手段が描画を行ったデータ放送コンテンツに基づいてかかる判断を行う場合がある。
【００２１】
「用途情報出力部」０５４０は、「ｕｓｅｄ‐ｋｅｙ‐ｌｉｓｔ特性値取得手段」０５４１と、「ｕｓｅｄ‐ｋｅｙ‐ｌｉｓｔ特性値解析手段」０５４２と、「用途情報出力手段」０５４３とを備える。
「ｕｓｅｄ‐ｋｅｙ‐ｌｉｓｔ特性値取得手段」は、判断部が上記の判断により放送データが提示されているとの判断結果を出した場合に、当該放送データにｂｏｄｙ要素として記述されているｕｓｅｄ‐ｋｅｙ‐ｌｉｓｔ特性値を取得するように構成されている。
「ｕｓｅｄ‐ｋｅｙ‐ｌｉｓｔ特性値解析手段」は、上記により取得されたｕｓｅｄ‐ｋｅｙ‐ｌｉｓｔ特性値の設定内容を解析して「用途情報」を生成するように構成されている。例えば、ｕｓｅｄ‐ｋｅｙ‐ｌｉｓｔ特性値として「ｎｕｍｅｒｉｃ‐ｔｕｎｉｎｇ」が指定されている場合、解析の結果、ｕｓｅｄ‐ｋｅｙ‐ｌｉｓｔ特性値解析手段は文書処理の対象として入力可能な状態になっているキーが数字キー（０‐９）であるとの用途情報が生成される。この解析は、例えば、図４を用いて上で説明したものと同様のテーブルを利用してなされる。
「用途情報出力手段」は、生成された用途情報を、ｕｓｅｄ‐ｋｅｙ‐ｌｉｓｔ特性値の設定内容を示す制御信号として出力するように構成されている。この出力も、例えば上述のテーブルを利用して行われ、用途情報出力プログラムが、０‐９の数字キーの用途が文書処理動作であることを示す用途情報を生成して出力する。この出力が、ディスプレイ等に文字、絵文字等で表示することにより行われてもよいことは、図４を用いて説明したところと同様である。
【００２２】
「キー入力部」０５５０は、「キー入力判定手段」０５５１と、「データ放送コンテンツキー入力処理手段」０５５２と、「選局処理手段」０５５３とを備える。
「キー入力判定手段」は、用途情報出力手段により出力された用途情報に示される用途に従い、キー入力処理を行うためのキー入力信号をどの処理手段に対して出力するかを判定するように構成されている。その際、用途情報がディスプレイ等に表示されている場合には、ユーザが当該表示を見て、現在どのキーが文書処理動作用に機能しているかを認識した上で行ったキー操作に基づいて当該判定がなされる。そして、キー入力判定手段は、判定結果に従い、キー入力信号を「データ放送コンテンツキー入力処理手段」又は「選局処理手段」のいずれか一方に対し出力する。
「データ放送コンテンツ入力処理手段」は、データ放送の文書の記述に従い、キー入力信号を処理するように構成されている。具体的には、データ放送コンテンツの表示画面の切換えを行ったり、データ放送コンテンツの表示を終了させたりする処理を行う。
一方「選局手段」は、データ放送の文書の記述によって当該キーが文書処理用に指定されていない場合に入力されたキー入力信号に従い、選局処理を行うように構成されている。なお、図には示していないが、キー入力部は他の用途にかかる処理（例えば端末機能指定動作）のための手段を有していてもよく、この場合には、当該手段は、キー入力判定手段の判定に従い入力された信号に従い、端末機能（例えば、コントラスト調整、ボリューム調整）の指定動作にかかる処理を行う。
【００２３】
<処理の流れ>
図６は、本実施例のデータ放送コンテンツ表示装置における処理の流れの一例を示す図である。同図の処理の流れは以下のステップからなる。
まず、放送データの受信ステップＳ０６０１において、データ放送コンテンツ表示装置は、地上波デジタル放送のＣプロファイルの放送データを受信する。
次に、判断ステップＳ０６０２において、データ放送コンテンツ表示装置は前記受信ステップにて受信した放送データが提示されているか判断する。
次に、前記判断ステップにおける判断結果が「放送データが提示されている」との判断結果である場合、用途情報の出力ステップＳ０６０３において、データ放送コンテンツ表示装置は、用途情報を出力する。この場合、ユーザに認識可能なようにディスプレイ等に文字や絵文字で表示する処理がなされてもよい。
さらに、前記ステップＳ０６０３において出力された用途情報が、キーの入力用途としてデータ放送コンテンツの動作用（データ処理用）とその他の用途（その他用）とのいずれを示しているかを判断するステップＳ０６０４において、「データ処理用」であると判断された場合、所定のキー入力をデータ処理用として受け付けるステップＳ０６０５において、データ放送コンテンツ表示装置は、データ処理用として指定されているキーの入力をデータ処理用として受け付ける。
一方、前記ステップＳ０６０４において用途情報がキーの入力用途として「その他用」であることを示していると判断された場合は、所定のキー入力をその他用として受け付けるステップＳ０６０６において、データ放送コンテンツ表示装置は、その他用として指定されているキーの入力をデータ処理用として受け付ける。
これらの入力は、例えば上記のようにディスプレイ等に用途情報が表示された場合にこれを認識したユーザのキー入力操作に基づいて行われる。なお、このように入力が用途情報を認識したユーザの操作に基づく場合は格別、一般に用途情報の出力ステップにおける処理とキー入力ステップにおける処理はどちらが先に行われてもよい。キー入力ステップにおける処理が先に行われる場合としては、例えばユーザが予めマニュアル等に基づいてキーの用途を承知しており、用途情報の認識を何ら必要とせずにキー操作を行う場合が考えられる。このように、用途情報の出力ステップとキー入力ステップにおける処理が原則としてどちらが先になされてもよいことは他の実施例においても同様である。
【００２４】
<効果>
本実施例のデータ放送コンテンツ表示装置により、キーが現在どの用途に用いられているかを把握していないユーザであってもキーが現在どの用途に使われているかを把握した上でキーの押し下げ操作ができるよう、選択可能なキーの入力用途をユーザに提示可能なデータ放送コンテンツ表示装置を提供することができる。
【実施例２】
【００２５】
<概要>
本実施例のデータ放送コンテンツ表示装置は、基本的に実施例１の装置と共通するが、提示部にて提示された放送データを表示するためのディスプレイをさらに有し、用途情報出力部は、出力される用途情報を、前記ディスプレイに文字、又は絵文字にて表示させるための手段を有する点で異なる。
【００２６】
<構成>
図７は、本実施例のデータ放送コンテンツ表示装置の機能ブロックの一例を示す図である。本実施例の「データ放送コンテンツ表示装置」０７００は、「受信部」０７０１と、「提示部」０７０２と、「キー入力部」０７０５と、「判断部」０７０３と、「用途情報出力部」０７０４と、「ディスプレイ」０７０６とからなり、「用途情報出力部」は、「ディスプレイ表示手段」０７０７を有する。
【００２７】
「ディスプレイ」は提示部にて提示された放送データ（具体的にはデータ放送コンテンツ）を表示するためのものである。ただし、当該ディスプレイはテレビ映像を表示するためのディスプレイと共通の一つのディスプレイであってその中を表示対象に応じて領域に区分したものであることを妨げない。
「ディスプレイ表示手段」は、出力される用途情報を、前記ディスプレイに文字又は絵文字にて表示させるためのものである。
図８は、ディスプレイにデータ放送コンテンツ及び用途情報である絵文字が表示された状態の一例を示す。本例ではデータ放送コンテンツ表示装置を含む携帯受信機は放送受信機能を備えた携帯電話機０８０１であり、ディスプレイは文字・絵文字表示領域０８０２と映像コンテンツ表示領域０８０３とデータ放送コンテンツ表示領域０８０４とナビゲーション表示領域０８０５とに分かれている。なお、ＢＭＬブラウザ用仮想プレーン（データ放送コンテンツを画面に表示する前に受信機内部のメモリに展開するための仮想画面）は解像度が横２４０画素×高さ４８０ラインと規定されていることから、データ放送コンテンツをディスプレイに一度に表示できない場合にはユーザのキー操作により画面をスクロールすることにより全部を見られるように構成されていることが好ましい。また、同図では携帯電話機を縦位置にしたときにこれらの各表示領域が縦に配置される例で示したが、携帯電話機を横位置にしたときにこれらが縦に配置されるようにしてもよい。
絵文字のデザインはｕｓｅｄ‐ｋｅｙ‐ｌｉｓｔ特性値の設定内容に従って決定される。例えば、同図に表示されている絵文字０８０６は、ｕｓｅｄ‐ｋｅｙ‐ｌｉｓｔ特性値として「ｎｕｍｅｒｉｃ‐ｔｕｎｉｎｇ」が指定されている場合には数字キー（０‐９）が文書処理動作の対象キーであることを示すものとして数字の「１」を図案化した絵文字のデザインが設定されている場合の例である。同様に、例えば、ｕｓｅｄ‐ｋｅｙ‐ｌｉｓｔ特性値として「ｂａｓｉｃ」のみが指定されている場合において、決定キー、戻るキーのみが文書処理動作の対象キーであることを示すものとして数字の「０」を図案化した絵文字のデザインが設定されているときには、かかる絵文字が表示される。あるいは、決定キー、戻るキーのみが文書処理動作の対象キーである場合は、デフォルトの状態であるとして絵文字を表示しないようにしてもよい。
その余の構成は実施例１のデータ放送コンテンツ表示装置の構成と同じであるから説明を省略する。
【００２８】
図９は、本実施例のデータ放送コンテンツ表示装置のハードウェア構成の一例を示す概略図である。その構成は、基本的には図４を用いて説明した実施例１の装置のハードウェア構成と共通する。ただし、本実施例の装置は、「ディスプレイ」０９０７を備えている。また、「キー入力部」が「Ｉ／Ｏ」０９０５のほか「ビデオメモリ」０９０８を備えている。これらは「システムバス」０３０６などのデータ通信経路によって相互に接続され、情報の送受信や処理を行う。
「キー入力部」は、用途情報をディスプレイに表示するための処理を行うとともに、Ｉ／Ｏを通じて所定のキー入力を受け付ける。具体的には、例えば、用途情報出力プログラムは、０‐９の数字キーの用途が文書処理動作であることを示す用途情報を生成して出力するとともに、当該情報を文字、絵文字等で表示するため、表示要素をビデオメモリに格納するとともに、これを文字、絵文字等に描画する。そして、用途情報出力プラグラムはこのようにして描画した文字、絵文字等を表示する。その具体例は、図８で示したとおり、例えば、数字キー（０‐９）が文書処理動作の対象キーであることを示すものとして数字の「１」を図案化した絵文字で表示するといったものである。これにより、ユーザは当該表示を見て、現在０‐９の数字キーが文書処理動作用に機能していることを認識でき、かかる用途を知った上でキー操作を行うことができるので、キー入力部は、かかるキー操作に基づくキー入力をＩ／Ｏを通じて受け付けることになる。
【００２９】
<処理の流れ>
【００３０】
図１０は、本実施例のデータ放送コンテンツ表示装置における処理の流れの一例を示す図である。
用途情報の表示ステップＳ１００４において、データ放送コンテンツ表示装置は、用途情報の出力ステップＳ１００３において出力された用途情報をディスプレイに表示する。
その余の処理の流れは実施例１のデータ放送コンテンツ表示装置における処理の流れと同じであるから説明を省略する。
【００３１】
<効果>
本実施例のデータ放送コンテンツ表示装置により、キーが現在どの用途に用いられているかをディスプレイにてユーザに表示できるので、キーが現在どの用途に使われているかを把握していないユーザであってもキーが現在どの用途に使われているかを把握した上でキーの押し下げ操作ができるよう、選択可能なキーの入力用途をユーザに提示することができる。
【実施例３】
【００３２】
<概要>
【００３３】
本実施例のデータ放送コンテンツ表示装置は、基本的に実施例１又は２の装置と共通するが、キー入力部がキーを少なくとも２色の照明色で選択的に照明可能な照明手段を有する点及び用途情報出力部が用途情報として照明手段の照明色を選択するための情報を照明手段に出力する点で異なる。
【００３４】
<構成>
図１１は、本実施例のデータ放送コンテンツ表示装置の機能ブロックの一例を示す図である。本実施例の「データ放送コンテンツ表示装置」１１００は、「受信部」１１０１と、「提示部」１１０２と、「キー入力部」１１０５と、「判断部」１１０３と、「用途情報出力部」１１０４とからなり、「キー入力部」は、「照明手段」１１０６を有する。
「照明手段」は、キーを少なくとも２色の照明色で選択的に照明可能なように構成されている。これはキーがどの処理動作の対象となっているかを照明の色で区別可能にすることを目的とする。例えば、ＢＭＬ文書でｕｓｅｄ‐ｋｅｙ‐ｌｉｓｔ特性値として「ｂａｓｉｃ」のみが指定されている場合には、文書処理の対象となるキーである「決定キー」、「戻るキー」が赤色で照明され、これ以外の処理の対象となる他のキーは緑色で照明されるといったごときである。
なお、図示は省略したが、本実施例の装置は、さらに「提示部」にて提示された放送データを表示するための「ディスプレイ」を有するとともに、「用途情報出力部」が「ディスプレイ表示手段」を有していてもよい。
【００３５】
照明手段がキーの照明を行う具体的な方法には、限定がない。
図２３は、数字キーの「５」を例にとり、照明手段によって照明されている状態のキーの一例を示す概念図である。これは、携帯受信機に内蔵されたＬＥＤライトなどによってキーなどを背景から照明する場合の例を示すものである。また、いずれの場合も、当該キーの背後に照明色の異なる少なくとも２つのライトが内蔵されている。このうち（ａ）に示すものは、キーのうち数字部分が透明、その余の部分が不透明であることにより、ライトの発する光が数字部分を透過してユーザ等がどの照明色が選択されているかを知ることができるようにしたものである。また、（ｂ）に示すものは、（ａ）とは逆に数字部分が不透明、その余の部分が透明であることにより同じ効果が得られるようにしたものである。（ｃ）及び（ｄ）は、キー全体が不透明であって、キー以外の部分から光が透過するようにしたものである。透過部分は、（ｃ）にあってはキーの右側部分、（ｄ）にあっては全周部分である。なお、（ｃ）の例のように、選択された色によって透過部分が異なるようにしてもよい。例えば、赤色で照明する場合は右上の透明部分から、緑色で照明する場合は右中の透明部分から、白色で照明する場合は右下の透明部分から、それぞれの背後に内蔵された各色のライトで照明するといったごときである。
図２４は、照明手段によって照明されている状態のキーの別の一例を示す概念図である（図２３と同じく数字キーの「５」を例にとる）。本例では、キーが液晶表示可能に構成されており、例えば、当該キーがデータ処理の対象となっているときは、（ａ）に示すようにある色（例えば赤色）で数字を表示する。また、本図でも示すように、より認識を容易にするために横に「ｄａｔａ」の文字を合わせて表示してもよい。同様に、選局の対象となっているときは、（ｂ）に示すように（ａ）とは異なる色（例えば緑色）で数字を表示する。その際同様に「ｃｈ」の文字を表示してもよい。さらに、その他の処理としてボリューム調整の対象となっているときは（ｃ）に示すように（ａ）、（ｂ）とは異なる色（例え白色）で数字を表示し、合わせて「ｖｏｌ」の文字を表示してもよい。
以上のように、本実施例におけるキーの照明は、キー以外の発光手段でよりキーを照明するものであっても、キー自体が照明手段として自身を照明するものであってもよい。
その余の構成は、実施例１又は２の装置の構成と同じであるから、説明を省略する。
【００３６】
図１２は、本実施例のデータ放送コンテンツ表示装置のうち用途情報出力部及びキー入力部にかかるハードウェア構成の一例を示す概略図である。この図にあるように、用途情報出力部は「記憶装置」１２０２と、「ＣＰＵ」１２０３と、「メインメモリ」１２０４とを備え、キー入力部は「Ｉ／Ｏ」１２０５と「バックライト」１２０７とを備える。これらは「システムバス」１２０６などのデータ通信経路によって相互に接続され、情報の送受信や処理を行う。
本例において、用途情報出力部は、用途情報出力プログラムをメインメモリのワーク領域に展開し、当該プログラムが、キー入力により選択可能なキーの用途に関する情報を生成して出力する。この場合の具体的処理要領は、実施例１について図４を用いて説明したところと同様である。また、用途情報出力プログラムは、用途情報を出力する際に、照明手段の照明色を選択するための情報を当該用途情報に含めて出力する。具体的には、例えばＢＭＬ文書に「ｕｓｅｄ‐ｋｅｙ‐ｌｉｓｔ特性値」として「ｂａｓｉｃ」のみが指定されている旨の記述がある場合、用途情報出力部は、文書処理の対象として入力可能な状態になっているキーが戻るキー及び決定キーであると判断し、これらのキーの用途が文書処理動作であることを示す用途情報を生成して出力するが、その際に、文書処理の対象となっている戻るキー等を赤色で照明する旨の命令情報を用途情報に含めて出力する。この命令情報は、例えば、用途情報出力部がキーの処理動作の対象となる用途と照明の色を関連付けたテーブルを予め記憶装置に保持しており、このテーブルに従って生成される。
（表２）は、かかるテーブルの一例であり、文書処理の対象となるキーの照明色を赤色、それ以外の用途のキーの照明色を緑色として関連付けたものである。
【表２】
2007134834.tif 000004
以上の処理により照明にかかる命令情報を含む用途情報が出力されてメモリ等に格納されると、キー入力部は、Ｉ／Ｏを通じて照明を実行する。例えば、上述の例に即せば、キー入力部は、各キーの背後に内蔵された赤色、緑色の２種類のＬＥＤランプのうち、戻るキー及び決定キーに対しては赤色のランプを点灯して背景照明を行い、それ以外のキーにに対しては緑色のランプを点灯して背景照明を行う。
【００３７】
なお、以上では主に照明色が２色の場合で説明したが、用途の種類に応じて照明色の数は増加可能である。例えば、用途として、データ放送コンテンツにかかる文書処理と選局処理のほかに、端末機能指示動作もある場合、これらの用途ごとにその対象となるキーに対する照明色を赤色、緑色、白色とするといったごときである。照明色が３色以上の場合の処理要領も、上で２色の場合について説明したところと同様である。
【００３８】
<処理の流れ>
図１３は本実施例のデータ放送コンテンツ表示装置における処理の流れの一例を示す図である。
用途情報の出力ステップＳ１３０３において、データ放送コンテンツ表示装置は、照明手段の照明色を選択するための情報を用途情報に含めて出力する。
次に、前記ステップＳ１３０３において出力された用途情報が、キーの入力用途としてデータ放送コンテンツの動作用（データ処理用）とその他の用途（その他用）とのいずれを示しているかを判断するステップＳ１３０４において、「データ処理用」であると判断された場合、データ処理用照明色での照明を行うキーの照明ステップＳ１３０５において、データ放送コンテンツ表示装置は、用途情報の出力ステップにおいて出力された照明手段の照明色を選択するための情報に従い、データ処理用に関連付けられた照明色（図１２及び（表２）を用いて説明した上述の例に即せば、赤色）でキーを照明する。そして、この場合、所定のキー入力をデータ処理用として受け付けるステップＳ１３０７において、データ放送コンテンツ表示装置は、データ処理用として指定されているキーの入力をデータ処理用として受け付ける。一方、前記ステップＳ１３０４において「その他用」であると判断された場合には、その他用照明色での照明を行うキーの照明ステップＳ１３０６において、データ放送コンテンツ表示装置は、データ処理用の場合と同じ要領に従い、その他用に関連付けられた照明色（上述の例に即せば、緑色）でキーを照明する。この場合、所定のキー入力をその他用として受け付けるステップＳ１３０８において、データ放送コンテンツ表示装置は、その他用として指定されているキーの入力をその他用として受け付ける。
以上の結果、キーを少なくとも２色の照明色で選択的に照明する処理が行われることとなる。
なお、図示を省略したが、さらに、用途情報の出力ステップＳ１３０３において出力された用途情報をディスプレイに表示する用途情報の表示ステップがあってもよい。
その余の処理の流れは実施例１又は２のデータ放送コンテンツ表示装置における処理の流れと同じであるから説明を省略する。
【００３９】
<効果>
本実施例のデータ放送コンテンツ表示装置により、キーが現在どの用途に用いられているかを少なくとも２色の照明色でキーを照明することによりユーザに示すことができるので、ユーザがキーの用途を把握することが容易となる。
【実施例４】
【００４０】
<概要>
本実施例のデータ放送コンテンツ表示装置は、基本的に実施例１から３のいずれか一の装置と共通するが、用途情報出力部が出力する用途情報に、用途情報を示すキーの種類を示す情報が含まれ、用途情報出力部がかかる情報を出力する手段を有する点で異なる。
【００４１】
<構成>
図１４は、本実施例のデータ放送コンテンツ表示装置の機能ブロックの一例を示す図である。本実施例の「データ放送コンテンツ表示装置」１４００は、「受信部」１４０１と、「提示部」１４０２と、「キー入力部」１４０５と、「判断部」１４０３と、「用途情報出力部」１４０４とからなり、「用途情報出力部」は、「キー識別情報付用途情報出力手段」１４０６を有する。「キー識別情報付用途情報出力手段」は、出力される用途情報として、「キー識別情報付用途情報」を出力するように構成されており、ここで「キー識別情報付用途情報」とは、用途情報を示すキーの種類を示す情報であるキー識別情報を含む情報をいう。
「用途情報を示すキーの種類を示す情報」は、用途情報に示される用途にかかる処理の対象となるキーがどの種類のキーであるかを示す情報である。「キーの種類」とは、戻るキー、決定キー、数字キー（０‐９）、♯（シャープ）キー、＊（アスタリスク）キーを指す。
なお、図示を省略したが、本実施例のデータ放送コンテンツ表示装置は、「提示部」にて提示された放送データを表示するための「ディスプレイ」をさらに有し、「用途情報出力部」が「ディスプレイ表示手段」を有するものであってもよい。また、「キー入力部」がキーを少なくとも２色の照明色で選択的に照明可能な「照明手段」を有し、「用途情報出力部」が用途情報として照明手段の照明色を選択するための情報を照明手段に出力するように構成されたものであってもよい。
その余の構成は、実施例１から３のいずれか一の装置と同じであるので、説明を省略する。
【００４２】
<処理の流れ>
本実施例のデータ放送コンテンツ表示装置における処理の流れは、用途情報の出力ステップにおいて出力される用途情報がキー識別情報付用途情報である点を除き、実施例１から３のいずれか一における処理の流れと同様であるので、説明を省略する。
【００４３】
<効果>
本実施例のデータ放送コンテンツ表示装置により、キーが現在どの用途に用いられているかをキーの種類を識別した上でユーザに示すことができるので、ユーザがキーの用途を把握することが容易となる。
【実施例５】
【００４４】
<概要>
本実施例のデータ放送コンテンツ表示装置は、実施例４の装置と基本的に共通するが、用途情報に基づいてどのキーが入力手段対象となっているかを示す手段を有し、当該手段が、０‐９の数字キー識別情報に基づいて０‐９の数字キーが入力手段対象となっていることを示す点で異なる。
【００４５】
<構成>
図１５は、本実施例のデータ放送コンテンツ表示装置の機能ブロックの一例を示す図である。本実施例の「データ放送コンテンツ表示装置」は、１５００は、「受信部」１５０１と、「提示部」１５０２と、「キー入力部」１５０５と、「判断部」１５０３と、「用途情報出力部」１５０４と、「入力手段対象明示部」１５０７とからなり、「用途情報出力部」は、「キー識別情報付用途情報出力手段」１５０６を有する。
「入力手段対象明示部」は、０‐９の数字キー識別情報に基づいて０‐９の数字キーが入力手段対象となっていることを示す。ここで「数字キー識別情報」とは、「キー識別情報」のうち用途情報を示すキーの種類が数字キーであることを示す情報をいい、上述の説明から明らかなように用途情報に含まれるものである。そこで、入力手段対象明示部は、具体的には、用途情報出力部が出力した用途情報に含まれる数字キー識別情報に基づいて、「数字キーが入力手段対象になっていることを示す情報」を生成し、出力する。この出力は、例えば、ディスプレイ等に文字、絵文字等により表示したり、キーを背景照明したりすることにより行ってもよい。これによりユーザは、数字キーがデータ放送コンテンツにかかる文書処理のための入力対象となっていることを認識できるので、これに基づいてキー操作を行うことが可能となり、この結果、数字キーを用いてデータ放送コンテンツの処理ためのキー入力を実行することが可能となる。
その余の構成は、実施例４の装置の構成と同じであるので、説明を省略する。
【００４６】
<処理の流れ>
図１６は、本実施例のデータ放送コンテンツ表示装置における処理の流れの一例を示す図である。
数字キーが入力手段対象になっていることを示す情報の生成・出力ステップＳ１６０４において、データ放送コンテンツ表示装置は、かかる情報を生成し、出力する。この出力は上述のようにディスプレイ等に文字、絵文字等により表示する形で行ってもよい。
キー入力ステップＳ１６０５において、データ放送コンテンツ表示装置はキー入力を行う。この入力は、例えばディスプレイやキーの照明によって表示された用途情報に基づくユーザのキー入力操作に基づいて行われるが、上述のように「数字キーが入力手段対象になっていることを示す情報」が表示された場合には、これも認識した上でのユーザのキー操作に基づいて行われる。
その余の処理の流れは、実施例４の装置における処理の流れと同じであるので、説明を省略する。
【００４７】
<効果>
本実施例のデータ放送コンテンツ表示装置により、キーが現在どの用途に用いられているかをキーの種類（０‐９の数字キー）を識別した上でユーザに示すことができるので、ユーザがキーの用途を把握することが容易となる。
【実施例６】
【００４８】
<概要>
本実施例のデータ放送コンテンツ表示装置は、実施例４又は５の装置と基本的に共通するが、用途情報に基づいてどのキーが入力手段対象となっているかを示す手段を有する点で実施例４の装置と異なり、さらに、当該手段が、♯（シャープ）、＊（アスタリスク）キー識別情報に基づいて♯（シャープ）、＊（アスタリスク）キーが入力手段対象となっていることを示す点で異なる。
【００４９】
<構成>
図１７は、本実施例のデータ放送コンテンツ表示装置の機能ブロックの一例を示す図である。本実施例の「データ放送コンテンツ表示装置」１７００は、「受信部」１７０１と、「提示部」１７０２と、「キー入力部」１７０５と、「判断部」１７０３と、「用途情報出力部」１７０４と、「入力手段対象明示部」１７０７とからなり、「用途情報出力部」は、「キー識別情報付用途情報出力手段」１７０６を有する。
「入力手段対象明示部」は、♯（シャープ）、＊（アスタリスク）キー識別情報に基づいて♯（シャープ）、＊（アスタリスク）キーが入力手段対象となっていることを示す。ここで「♯（シャープ）、＊（アスタリスク）キー識別情報」とは、「キー識別情報」のうち用途情報を示すキーの種類が♯（シャープ）、＊（アスタリスク）キーであることを示す情報をいう。そして、入力手段対象明示部は、用途情報出力部が出力した用途情報に含まれる♯（シャープ）、＊（アスタリスク）キー識別情報に基づいて、「♯（シャープ）、＊（アスタリスク）キーが入力手段対象になっていることを示す情報」を生成し、出力する。即ち、本実施例の装置は、入力手段明示部の明示対象が数字キーではなく♯（シャープ）、＊（アスタリスク）キーであるという点を除き、実施例５の装置の構成と同じである。従って、その余の説明は省略する。
【００５０】
<効果>
本実施例のデータ放送コンテンツ表示装置により、キーが現在どの用途に用いられているかをキーの種類（♯（シャープ）キー、＊（アスタリスク）キー）を識別した上でユーザに示すことができるので、ユーザがキーの用途を把握することが容易となる。
【実施例７】
【００５１】
<概要>
本実施例のデータ放送コンテンツ表示装置は、実施例１から４のいずれか一の装置と共通するが、受信部にて受信するデータ放送のデータから入力キーの用途割当を示す情報である用途割当情報を取得する手段と、キー用途割当情報から用途情報を取得する手段とを有する点で異なる。
【００５２】
<構成>
図１８は、本実施例のデータ放送コンテンツ表示装置の機能ブロックの一例を示す図である。本実施例の「データ放送コンテンツ表示装置」１８００は、「受信部」１８０１と、「提示部」１８０２と、「キー入力部」１８０５と、「判断部」１８０３と、「用途情報出力部」１８０４と、「キー用途割当情報取得部」１８０６と、「用途情報取得部」１８０７とからなる。また、図示を省略したが、本実施例の装置は、さらに提示部にて提示された放送データを表示するための「ディスプレイ」を有するとともに、「用途情報出力部」が「ディスプレイ表示手段」を有していてもよい。また、「キー入力部」がキーを少なくとも２色の照明色で選択的に照明可能な「照明手段」を有し、「用途情報出力部」が用途情報として照明手段の照明色を選択するための情報を照明手段に出力するように構成されたものであってもよい。あるいは、「用途情報出力部」が「キー識別情報付用途情報出力手段」を有していてもよい。
「キー用途割当情報取得部」は、受信部にて受信するデータ放送のデータから入力キーの用途割当を示す情報である用途割当情報を取得するように構成されている。
「入力キーの用途割当」とは、入力に使用可能なキーの種類ごとにどのキーがどの用途にかかる処理の対象であるかを割り当てることをいう。用途とキーの種類は、実施例１などで説明したところと同様である。
「用途情報取得部」は、キー用途割当情報から用途情報を取得するように構成されている。例えば、キー用途割当情報中に数字キーの入力用途が文書処理に指定されている場合、用途情報取得部は、数字キーの用途が文書処理であるとの用途情報を取得する。
その余の構成は、実施例１から４のいずれか一の装置の構成と同じであるから、説明を省略する。
【００５３】
<処理の流れ>
図１９は、本実施例のデータ放送コンテンツ表示装置における処理の流れの一例を示す図である。
用途割当情報の取得ステップＳ１９０２において、データ放送コンテンツ表示装置は、放送データの受信ステップＳ１９０１において受信された放送データのデータから用途割当情報を取得する。
用途情報の出力ステップＳ１９０４において、データ放送コンテンツ表示装置は、前記ステップＳ１９０２において取得した用途割当情報から取得した用途情報を出力する。
その余の処理の流れは実施例１のデータ放送コンテンツ表示装置における処理の流れと同じであるから説明を省略する。
【００５４】
<効果>
本実施例のデータ放送コンテンツ表示装置により、キーが現在どの用途に用いられているかをキーの種類ごとにどのキーがどの用途にかかる処理の対象であるかを割り当てた情報に基づいてユーザに示すことができるので、ユーザがキーの用途を把握することが容易となる。
【実施例８】
【００５５】
<概要>
本実施例のデータ放送コンテンツ表示装置は、実施例７の装置と共通するが、用途情報に基づいてどのキーが入力手段対象となっているかを示す手段を有し、当該手段はキー用途割当情報のキーを識別する情報に「ｎｕｍｅｒｉｃ‐ｔｕｎｉｎｇ」が含まれる場合には、０‐９の数字キーが入力手段対象となっていることを示す点で異なる。
【００５６】
<構成>
図２０は、本実施例のデータ放送コンテンツ表示装置の機能ブロックの一例を示す図である。本実施例の「データ放送コンテンツ表示装置」２０００は、「受信部」２００１と、と、「提示部」２００２と、「キー入力部」２００５と、「判断部」２００３と、「用途情報出力部」２００４と、「キー用途割当情報取得部」２００６と、「用途情報取得部」２００７と、「入力手段対象明示部」２００８とからなる。
【００５７】
「入力手段対象明示部」は、キー用途割当情報のキーを識別する情報に「ｎｕｍｅｒｉｃ‐ｔｕｎｉｎｇ」が含まれる場合には、０‐９の数字キーが入力手段対象となっていることを示すように構成されている。
【００５８】
その余の構成は、実施例７の装置の構成と同じであるから、説明を省略する。
【００５９】
<処理の流れ>
図２１は、本実施例の本実施例のデータ放送コンテンツ表示装置における処理の流れの一例を示す図である。
キー識別情報に「ｎｕｍｅｒｉｃ‐ｔｕｎｉｎｇ」が含まれるか否か判断ステップにおいて、含まれると判断された場合、入力手段対象の明示ステップにおいて、データ放送コンテンツ表示装置は、０‐９の数字キーが入力手段対象となっていることを示す処理を行う。
その余の処理の流れは実施例７のデータ放送コンテンツ表示装置における処理の流れと同じであるから説明を省略する。
【００６０】
<効果>
本実施例のデータ放送コンテンツ表示装置により、キーが現在どの用途に用いられているかをキーの種類ごとにどのキーがどの用途にかかる処理の対象であるかを割り当てた情報（キー識別情報に「ｎｕｍｅｒｉｃ‐ｔｕｎｉｎｇ」が含まれる場合に０‐９の数字キーが入力手段対象となっていることを示す情報）に基づいてユーザに示すことができるので、ユーザがキーの用途を把握することが容易となる。
【実施例９】
【００６１】
<概要>
本実施例のデータ放送コンテンツ表示装置は、実施例７の装置と共通するが、用途情報に基づいてどのキーが入力手段対象となっているかを示す手段を有し、当該手段はキー用途割当情報のキーを識別する情報に「ｓｐｅｃｉａｌ‐１」が含まれる場合には、♯（シャープ）キー、＊（アスタリスク）キーが入力手段対象となっていることを示す点で異なる。
【００６２】
<構成>
図２２は、本実施例のデータ放送コンテンツ表示装置の機能ブロックの一例を示す図である。本実施例の「データ放送コンテンツ表示装置」２２００は、「受信部」２２０１と、と、「提示部」２２０２と、「キー入力部」２２０５と、「判断部」２２０３と、「用途情報出力部」２２０４と、「キー用途割当情報取得部」２２０６と、「用途情報取得部」２２０７と、「入力手段対象明示部」２２０８とからなる。
【００６３】
「入力手段対象明示部」は、キー用途割当情報のキーを識別する情報に「ｓｐｅｃｉａｌ‐１」が含まれる場合には、♯（シャープ）キー、＊（アスタリスク）キーが入力手段対象となっていることを示すように構成されている。
【００６４】
その余の構成は、実施例７の装置の構成と同じであるから、説明を省略する。
【００６５】
<処理の流れ>
本実施例のデータ放送コンテンツ表示装置における処理の流れは、入力手段対象の判断及び明示の対象が、０‐９の数字キーではなく♯（シャープ）キー、＊（アスタリスク）キーである点を除き、実施例８のデータ放送コンテンツ表示装置における処理の流れと同じであるから、説明を省略する。
【００６６】
<効果>
本実施例のデータ放送コンテンツ表示装置により、キーが現在どの用途に用いられているかをキーの種類ごとにどのキーがどの用途にかかる処理の対象であるかを割り当てた情報（キー識別情報に「ｓｐｅｃｉａｌ‐１」が含まれる場合に♯（シャープ）キー、＊（アスタリスク）キーが入力手段対象となっていることを示す情報）に基づいてユーザに示すことができるので、ユーザがキーの用途を把握することが容易となる。
【図面の簡単な説明】
【００６７】
【図１】実施例１のデータ放送コンテンツ表示装置の機能ブロックの一例を示す図
【図２】データ放送用データの構造を説明するための図
【図３】ＴＳパケットから抽出されたＢＭＬ文書に記述されたＤＯＭの一例を示す図
【図４】実施例１のデータ放送コンテンツ表示装置のハードウェア構成の一例を示す概略図
【図５】実施例１の具体的実施例にかかるデータ放送コンテンツ表示装置の機能ブロックの一例を示す図
【図６】実施例１のデータ放送コンテンツ表示装置における処理の流れの一例を示す図
【図７】実施例２のデータ放送コンテンツ表示装置の機能ブロックの一例を示す図
【図８】実施例２のデータ放送コンテンツ表示装置のディスプレイにデータ放送コンテンツ等が表示された状態の一例を示す図
【図９】実施例２のデータ放送コンテンツ表示装置のハードウェア構成の一例を示す概略図
【図１０】実施例２のデータ放送コンテンツ表示装置における処理の流れの一例を示す図
【図１１】実施例３のデータ放送コンテンツ表示装置の機能ブロックの一例を示す図
【図１２】実施例３のデータ放送コンテンツ表示装置の用途情報出力部及びキー入力部にかかるハードウェア構成の一例を示す概略図
【図１３】実施例３のデータ放送コンテンツ表示装置における処理の流れの一例を示す図
【図１４】実施例４のデータ放送コンテンツ表示装置の機能ブロックの一例を示す図
【図１５】実施例５のデータ放送コンテンツ表示装置の機能ブロックの一例を示す図
【図１６】実施例５のデータ放送コンテンツ表示装置における処理の流れの一例を示す図
【図１７】実施例６のデータ放送コンテンツ表示装置の機能ブロックの一例を示す図
【図１８】実施例７のデータ放送コンテンツ表示装置の機能ブロックの一例を示す図
【図１９】実施例７のデータ放送コンテンツ表示装置における処理の流れの一例を示す図
【図２０】実施例８のデータ放送コンテンツ表示装置の機能ブロックの一例を示す図
【図２１】実施例８のデータ放送コンテンツ表示装置における処理の流れの一例を示す図
【図２２】実施例９のデータ放送コンテンツ表示装置の機能ブロックの一例を示す図
【図２３】実施例３のデータ放送コンテンツ表示装置の照明手段によって照明されている状態のキーの一例を示す概念図
【図２４】実施例３のデータ放送コンテンツ表示装置の照明手段によって照明されている状態のキーの一例を示す概念図
【符号の説明】
【００６８】
０１００      データ放送コンテンツ表示装置
０１０１      受信部
０１０２      提示部
０１０３      判断部
０１０４      用途情報出力部
０１０５      キー入力部
【図１】
2007134834.tif 000005
【図２】
2007134834.tif 000006
【図３】
2007134834.tif 000007
【図４】
2007134834.tif 000008
【図５】
2007134834.tif 000009
【図６】
2007134834.tif 000010
【図７】
2007134834.tif 000011
【図８】
2007134834.tif 000012
【図９】
2007134834.tif 000013
【図１０】
2007134834.tif 000014
【図１１】
2007134834.tif 000015
【図１２】
2007134834.tif 000016
【図１３】
2007134834.tif 000017
【図１４】
2007134834.tif 000018
【図１５】
2007134834.tif 000019
【図１６】
2007134834.tif 000020
【図１７】
2007134834.tif 000021
【図１８】
2007134834.tif 000022
【図１９】
2007134834.tif 000023
【図２０】
2007134834.tif 000024
【図２１】
2007134834.tif 000025
【図２２】
2007134834.tif 000026
【図２３】
2007134834.tif 000027
【図２４】
2007134834.tif 000028